Podtech/llm-jp-corpus-v4-ja_patent huggingface dataset:
(57)【要約】      （修正有）【課題】風防点火器本体に点火口、ロウソク、傘、等を設けて花火や線香に雨や風にも拘らず容易に確実に火を付けることができる。【解決手段】風防点火器本体１の正面上部に点火口３該頂部に開口部２を設け、点火口３を切欠した部分を戸蓋５と着脱自在とし開口部２の上部に傘１１を取付け雨を防止、又点火器本体１の両側に把手８を取付け、持ち運びし易くした。更に該把手８に吊り穴７、７を設け全体Ａを吊り上げられるようにしている。【選択図】図４
0003116803.tif 000002
【実用新案登録請求の範囲】
【請求項１】
頂部を開口したランプ状の硝子容器を風防点火器本体とし、この点火器本体の内側底部にロウソク立て金具を設け、該点火器本体の正面上部側に点火口を形成すると共に、点火器本体の頂部開口部に傘を着脱自在に設けたことを特徴とする風防点火器。
【考案の詳細な説明】
【技術分野】
【０００１】  本考案は風防点火器本体の内部底部にロウソク立て金具を取付け自在とし、該本体上部に点火口を切欠し更に本体頂部を開口された上に傘を設け着脱自在にした風防点火器に関するものである。
【背景技術】
【０００２】  花火やお墓参りにおいて線香に火を付けるのにマッチやライター等ではなかなか火が付かず大変苦労していた。昔は麦藁等を燃やして火を付けていたが、現在でも新聞紙や紙屑を燃やして線香に火を付けている光景を見かけるが、危険を伴うばかりか公害につながる。
【考案の開示】
【考案が解決しようとする課題】
【０００３】  本考案は上逑の様に鑑みてなされたもので風防点火器の機能と傘の機能を一体化することで雨の日、風の日でも花火や線香に確実に火を付けることができると共に安全と便利で廉価な風防点火器を提供するものである。
【課題を解決するための手段】
【０００４】  上記課題を解決するための本考案に係る風防点火器本体をランプ状の硝子容器とした。該点火器本体の内部底部にロウソク立て金具を取付け自在とし、該本体の正面上部を切欠し点火口を形成すると共に切欠した部分を後に照明器具として用いる際、戸蓋になり着脱自在とし、更に点火器本体の頂部を開口された上に傘を設け着脱自在とした。又部品関係を金属製にすることで構造上何等問題なく雨や風が吹いても確実に火を付けることができ問題解決している。
【考案の効果】
【０００５】  本考案の風防点火器本体をランプ状の硝子容器にした該本体内部底にロウソク立て金具を取付け自在とし、更に本体正面上部に点火口を形成し、該頂部には傘を取付け着脱自在にしたことで構造も簡単で廉価であるにも拘らず雨や風が吹いても点火器内部のロウソクの火が消えることなく、花火や線香に容易に確実に火を付けるという実用的効果を有する。
【考案を実施するための最良の形態】
【０００６】  以下、本考案の実施の形態を図１から図６に基づいて説明する。【０００７】  図４は本考案に関わる風防点火器Ａの全体図で図５は分解図である。この風防点火器はランプをイメージし点火器本体１の頂部を開口２したランプ状の透明（または半透明）の硝子容器で形成されている。該点火器本体１の内側底部には、ロウソク立て金具１０が取付けられ、更に点火器本体１の正面上部側を四角状に切欠して点火口３が形成されている。この点火口３に戸蓋５が取付けられ着脱自在である。又該点火器本体１の頂部開口部２に円筒状の支持台金具１５が取付けられ着脱自在である。【０００８】  図４に示すように点火器本体１の左、右側に把手８が形成され、そこに設けた吊り穴７に左、右のアーム状の上下フック付き吊り金具１４、１４の下のフックを引掛ける。またこの吊り金具１４、１４の上側フックと上部にあるフック付き吊り金輪１２を組合せる。更にフック付き吊り金輪１２のフックで下部の傘１１の傘吊り金輪１３に引掛けて、傘１１を吊すようになっている。【０００９】  図１は雨や風のない時に傘１１を取付けない状態で使用する場合を示すもので該点火器本体１の正面上部に設けられた点火口３から点火器本体１の内部底のロウソク９に点火させるための例えば図３に示すライター着火装置２１を使用する。【００１０】  図３は風防点火器本体１を一部破断した状態の点火口３にライター着火装置２１のライター据付室１７の先端側を挿入させ点火器本体１内部のロウソク９に容易に着火できる。即ち点火器本体１内部のロウソク９に着火するには拳銃式形状の着火装置２１を利用することで風防点火器１内部のロウソクに簡単で確実に火を付けることができる。【００１１】  図２は風防点火器本体１頂部の開口部２に支持台金具１５を設け該支持台金具１５に傘１１を被せ雨に備えることにより、雨が降っても点火器本体１内部のロウソク９の火が消えることなく、その後容易に確実に火を付けることができる。【００１２】  図６は傘１１を支持台金具１５に逆さにして取付けた状態を示すもので緊急時やキャンプ等で傘１１を調理用鍋として用いることができる。又図４に示すように風防点火器は照明器具として役に立ち更にＳＯＳ信号や酸欠測定用として又他にも応用でき大いに役立つ。
【図面の簡単な説明】
【００１３】
【図１】本考案の風防点火器の正面図である。
【図２】本考案の風防点火器に傘を被せた正面図である。
【図３】本考案の風防点火器の一部破断した点火口に着火装置で点火状態側面図である。
【図４】本考案の風防点火器の全体正面図である。
【図５】本考案の風防点火器の分解図である。
【図６】本考案の風防点火器に傘を逆さにして鍋にした状態を示す正面図である。
【符号の説明】
【００１４】１  風防点火器本体
２  開口部
３  点火口
４  戸蓋着脱孔
５  戸蓋
６  戸蓋止
７  吊り穴
８  把手
９  ロウソク
１０  ロウソク立て金具
１１  傘（鍋）
１２  フック付き吊り金輪
１３  傘吊り金輪
１４  左、右アーム状フック付き吊り金具
１５  支持台金具
１６  ライター点火弁
１７  ライター据付け室
１８  ライター点火用レバー
１９  ライタージョイント部
２０  ライター点火用引き金
２１  ライター着火装置
２２  ライター着火装置持手柄
２３  ライター着火装置保全用紐穴
２４  ライター
【図１】
0003116803.tif 000003
【図２】
0003116803.tif 000004
【図３】
0003116803.tif 000005
【図４】
0003116803.tif 000006
【図５】
0003116803.tif 000007
【図６】
0003116803.tif 000008
(57)【要約】      （修正有）【解決手段】以下、添付書類に従って一実施例を説明する。１は小型ペンで、２はノック式で芯が出た状態で３の部分に接続され、キーホルダーと一体になり、５の部分で携帯電話やバッグ等身の回り品に装着することができ、４のバネの部分を伸ばして装着したまま痴漢の手に証拠の色を付着させることができる。また、直接小型ペンを持って痴漢の手に証拠の色を付着させることも出来る。【効果】ペンの書きやすい特徴を活かし、痴漢の手に素早く確実に色を付着させ証拠を付けることができ、また携帯式なので取り出す手間がないため痴漢を逃すこともなく、さらに逃げかかった痴漢の手にも小型ペンを外して、確実に証拠をつける事ができる。【選択図】図１
0003116802.tif 000002
【実用新案登録請求の範囲】
【請求項１】
ノック式の小型ペンで芯が出し入れでき、ストラップ式のキーホルダーに接続可能で、キーホルダーは携帯電話やバッグなど身の回り品に付けられ、ストラップ部分はバネで伸び縮みし、該小型ペンは携帯したまま使用、若しくは外して使うことができるようにしたことを特徴とした痴漢撃退用品。
【考案の詳細な説明】
【技術分野】
【０００１】  本考案は、人込みで役に立つ犯罪、痴漢撃退用品に関する。
【背景技術】
【０００２】  電車や人込みなどで多発するスリや痴漢などの犯罪行為で、特に女性は大きな声を出せず、また犯罪者の手を掴み上げるのは勇気がいり、そして触るのも気持ち悪く、泣き寝入りをする人がほとんどだった。【０００３】  従来の犯罪や痴漢撃退用品は、効果音や催涙スプレー、投光ボールなどがあり、人込みに使用するには関係のない人まで巻き込むことになる。
【考案の開示】
【考案が解決しようとする課題】
【０００４】  従来の痴漢撃退用品は、人込みで使用するのは不適切だった問題を人込みでも解決しようとしたものである。
【課題を解決するための手段】
【０００５】  本考案は上記実現を達成するために、小型ペンをすばやく芯の出せるノック式にし、携帯したまま使えるキーホルダー式にして、ストラップ部分を伸ばして使えるバネにし、さらに距離がある場合や使い勝手の好みで小型ペンを取り外し自由にした。
【考案の効果】
【０００６】  本考案はペンの書きやすい特徴を活かし、痴漢の手に素早く確実に色を付着させ証拠を付けることができ、また携帯式なので取り出す手間がないため痴漢を逃すこともなく、さらに逃げかかった痴漢の手にも小型ペンを外して、確実に証拠を付けることができる。【０００７】  そしていきなり声を出すのはためらってしまうが、証拠を付けたことにより声を出すきっかけにもなり、本考案の認知度が高まれば、携帯することで痴漢の目に触れ、威嚇にもなり犯罪防止にもつながり、そして女性や弱者の精神的安心、安全にもなる。
【考案を実施するための最良の形態】
【０００８】  小型ペンは通常キーホルダーに接続されていて、携帯電話やバッグ等身の回り品に装着されており、キーホルダーのバネの部分が伸びるので身の回り品に装着したまま小型ペンをノックして芯を出し、痴漢の手に色を付着させ、証拠をつけることができ、また小型ペンはキーホルダーから取り外しできるので、外して使用することも可能であらゆる場面に自由自在に対応できる。
【実施例】
【０００９】    以下、添付書類に従って一実施例を説明する。１は小型ペンで、２はノック式で芯が出た状態で３の部分に接続され、キーホルダーと一体になり、５の部分で携帯電話やバッグ等身の回り品に装着することができ、４のバネの部分を伸ばして装着したまま痴漢の手に証拠の色を付着させることができる。また、１−ａは３のキーホルダー接続部分から外した小型ペンで、直接小型ペンを持って痴漢の手に証拠の色を付着させることもできる。
【図面の簡単な説明】
【００１０】
【図１】  本考案の実施形態を示す痴漢撃退用品の正面図
【図２】  本考案、痴漢撃退用品の小型ペンの部分を外した正面図
【符号の説明】
【００１１】    １  小型ペン
２  小型ペンの芯を出した部分
３  小型ペンとストラップの接続部分
４  伸び縮みするストラップ部分
５  携帯電話やバッグなど身の回り品に装着する部分
１ａ  ストラップから外した芯を出していない小型ペン
【図１】
0003116802.tif 000003
【図２】
0003116802.tif 000004
(57)【要約】【課題】  作業台としての平板状天板の裏面に加工或いは取付ける場合のネジ穴等の傷をつけずに、天板を容易に逆にして使用できる工作台の提供。【解決手段】  天板とその裏面に設ける天板用梁を接合金具に依り、天板とは天板の側面中央部に施す抑溝に嵌って挟持する突起部と天板用梁とは梁内に埋め込まれているナットの螺合するボルトにより固定できるようにボルト穴を、接合金具に設け、中下段に棚板を設ける脚上に天板用梁を載せて成る工作台とするものである。【選択図】  図１
0003116808.tif 000002
【実用新案登録請求の範囲】
【請求項１】
水平に設ける下棚板と中棚板により前後左右の揺れを防止する脚上に天板用梁を対向する辺部に載せ、該天板用梁に平板状の天板を上載せするものであり、前記天板用梁にナットを埋め込とともに前記天板の側面中央部に天板抑溝を施し、両端部をＬ字状に屈曲させ、片側Ｌ字面にはボルト穴と他方のＬ字面には前記天板の天板抑溝に嵌る突起部を施す接合金具により前記天板と天板用梁を、天板の裏面に加工、組立の跡を残さずに両面を使用できるように使用し得る工作台。
【考案の詳細な説明】
【技術分野】
【０００１】  本考案は、各種学校等において使用する工作台の改良に関するものである。
【背景技術】
【０００２】  工作台の天板を表裏両面で利用できる従来の工作台にはない物品を同一出願により便利な工作台として実用新案が公開されているが、これは、長方形状の平板で成る天板の底面左右端部に四角形状の柱状天板用梁を接着させ、Ｌ字状の接合金具に拠って、該天板の左右底面と天板用梁の左右側面を木ネジにより固定し、中棚、下棚を設ける脚上に載せてなる工作台であり、表面が傷つき使用に耐えなくなると、接合金具を外して天板の表裏を逆にし再度組み立て得るように構成されているものである。
【特許文献１】  実登３０２０５４８号公報
【考案の開示】
【考案が解決しようとする課題】
【０００３】  前記公知の工作台においては、作業台としての天板の裏面を利用することができるが、その場合に、天板と天板の裏面に接着する天板用梁を接合金具に依りネジで固定するものであり、裏面にネジ穴が開く結果となり、その都度、木質系素材などで、この穴を塞いで使用しており、その不便さを残すものであった。従って、本考案はこの不便さを解消する新たな工作台を提供することを課題としている。
【課題を解決するための手段】
【０００４】  工具等を載せることの出来る水平に設ける下棚板と中棚板に依り横揺れを防止する、通常は４本の脚上に、平板状天板と、該天板の裏面において接着する天板用梁を、両端部がＬ字状に屈曲する接合金具により、天板用梁とは、該天板用梁内に埋め込まれているナットとこれに螺合するボルトに依り固定し、前期天板とは、天板の側面中央部に施す天板抑溝に嵌る突起部によってズレが生じないように挟持する天板用梁を載せて成る工作台とするものであり、ボルトを緩めることで天板の挟持状態を解除し、天板の表裏を逆にして再度ボルトを締め付けることで使用可能となる、天板の裏面に傷をつけることのない工作台と成るものである。
【考案の効果】
【０００５】  作業により傷がついた天板を容易に逆にして、その加工、組み立てに依る傷の生じない裏面を再利用できる固有の効果を有するものであり、使用期間が倍加され極めて経済的な工作台となる。
【考案を実施するための最良の形態】
【０００６】  以下、図面に示す実施例に従って、本考案の実施態様を説明する。
図１及び図２は本考案の一実施例における工作台の全体図であり、中棚板５とその下方に下棚板６を水平方向に渡して横揺れを防止する４本の脚４の上面に、両端面がＬ字状に略直角に屈曲する接合金具７によって支持固定される天板１とその裏面に接着する角状の天板用梁３の一体化されている作業台部を載せて成る工作台としている。通常は四角形状の平板である天板１の対向する辺部底面に配置する左右の天板用梁３と接合金具７は座金１０を用いて取付ボルト９により固定されており、天板１は接合金具７によってその左右側面で挟持されるように構成されている。図２に示すように、前後左右の四隅近傍において４個の接合金具７により天板１と天板用梁３が固定されるのが普通であるがこの固定の仕方が四隅に限るものではない。天板１の表裏面は鉋仕上げが施されており平坦面を形成してある。【０００７】  図３、図４、図５には、接合金具７の使用状態の実施例と形状例を示すが、天板１の左右側面の中央部に設ける天板抑溝２に嵌り、天板１の前後のズレを防止する突起部を、両端部を略直角にＬ字状に折り曲げた接合金具７の一端側に設けて天板１を両側から挟んで支持出来るようにするとともに他端側の屈曲面にはボルト穴８を施し、天板１の裏面に接着する天板用梁３に挿入する埋込ナット１１に座金１０を介して取付ボルト９で螺合させて天板１と天板用梁３を固定する接合金具７である。【０００８】  上述の構成による本考案の工作台においては、作業台である天板１の表面は、工具であるドリル、ハンマ−、鑿、鋸等を使用することにより表面が破損し次第に使い難くなるので、その場合には接合金具７で固定している取付ボルト９を緩めることで天板１を挟持している嵌合部を離して裏面に加工、組み立てによって生じる傷の全くない天板１を逆にして使用することが容易に実行されることになる。
また、中棚板５及び下棚板６は機材や工具等を置くために必要な厚さの平板で形成されているものである。
【図面の簡単な説明】
【０００９】
【図１】  本考案の一実施例を示す側面図である。
【図２】  同図の正面図である。
【図３】  接合部を示す部分断面図である。
【図４】  埋込ナットの一例斜視図である。
【図５】  接合金具の形状を示す斜視図である。
【符号の説明】
【００１０】  １  天板
２  天板抑溝
３  天板用梁
４  脚
５  中棚板
６  下棚板
７  接合金具
８  取付穴
９  取付ボルト
１０  座金
１１  埋込ナット
【図１】
0003116808.tif 000003
【図２】
0003116808.tif 000004
【図３】
0003116808.tif 000005
【図４】
0003116808.tif 000006
【図５】
0003116808.tif 000007
(57)【要約】      （修正有）【課題】通常のインク（スクリーン印刷等）を蓄光物質（蓄光板）の上面にドット印刷することにより、ドット（印刷）または格子状（印刷）の色と、蓄光物質の発光色とのコントラストで、新しい色を表現することができる蓄光板を提供する。【解決手段】基板２ａに蓄光物質２ｂを塗布してなる蓄光板２の上面に、ドット印刷Ｄを施してなることを特徴とする発光板。【選択図】図１
0003116806.tif 000002
【実用新案登録請求の範囲】
【請求項１】
基板に蓄光物質を塗布してなる蓄光板の上面に、ドット印刷を施してなることを特徴とする発光板。
【請求項２】
ドット印刷が、等間隔に設けてなることを特徴とする請求項１記載の発光板。
【請求項３】
ドット印刷が、非等間隔に設けてなることを特徴とする請求項１又は２記載の発光板。
【請求項４】
ドット印刷の色と、蓄光物質の発光色とを異色とすることを特徴とする請求項１、２又は３記載の発光板。
【請求項５】
基板に蓄光物質を塗布してなる蓄光板の上面に、格子状印刷を施してなることを特徴とする発光板。
【請求項６】
格子状印刷が、等間隔に設けてなることを特徴とする請求項５記載の発光板。
【請求項７】
格子状印刷が、非等間隔に設けてなることを特徴とする請求５又は６記載の発光板。
【請求項８】
格子状印刷の色と、蓄光物質の発光色とを異色とすることを特徴とする請求５、６又は７記載の発光板。
【考案の詳細な説明】
【技術分野】
【０００１】  本考案は、蓄光物質の発光色とドット（印刷）の色とのコントラストで新鮮な色を表現することのできる発光板に関するものである。
【背景技術】
【０００２】  従来の技術として蓄光性カラー分解印刷物の印刷基材の一面には高輝度タイプの蓄光顔料インキがスクリーン印刷によりドット状に印刷塗布され、これにより印刷基材の一面に蓄光顔料インキ層が形成されている。蓄光顔料インキにはビヒクルに蓄光顔料が混練されている。（特許文献１参照）【０００３】  また、別の従来技術として、暗時において青色発光または緑色発光を呈する蓄光顔料に、当該発光色と補色関係にある赤色系蛍光顔料または赤色系集光性染料を所要量添加して暗時において白色発光または赤色系の発光を呈する蓄光材料を調整し、当該蓄光材料を透明樹脂ビヒクルに混合した蓄光性インキ、及びこの蓄光性インキによる印刷面上に透明着色樹脂にて所要の色調の図柄を設けてなる蓄光性印刷物がある。（特許文献２参照）
【特許文献１】  特開２００３−３０５９３６号公報
【特許文献２】  特開平１１−３５８６５号公報
【考案の開示】
【考案が解決しようとする課題】
【０００４】  上記前者は、印刷基材に蓄光顔料インキでスクリーン印刷によりドット状に印刷塗布してなるもので、本考案とは逆の形態であり、ベース（基材）が通常の色であるため本考案のような発光色と印刷色のコントラストは実現できない。【０００５】  上記後者は、蓄光顔料に白色あるいは赤色系の発光を呈する蓄光材料を調整したもので、単に蓄光材料を混合して所要の色調を出そうとするもので、コスト的に高く、思ったような色が出にくく、かつ輝度も落ちるものである。【０００６】  本考案は、上記のような従来の構成が有していた問題点を解決しようとするもので、通常のインク（スクリーン印刷等）を蓄光物質（蓄光板）の上面にドット印刷または格子状印刷することにより、ドット（印刷）または格子状（印刷）の色と、蓄光物質の発光色とのコントラストで、新しい色を表現することができる蓄光板を提供することを目的とする。
【課題を解決するための手段】
【０００７】  本考案は、上記目的を達成するために、基板に蓄光物質を塗布してなる蓄光板の上面に、ドット印刷を施してなる。
また、ドット印刷（格子状印刷）が、等間隔に設けてなる。
そして、ドット印刷（格子状印刷）が、非等間隔に設けてなる。
そしてまた、ドット印刷（格子状印刷）の色と、蓄光物質の発光色とを異色とすることを特徴とする。
【考案の効果】
【０００８】１）、蓄光板（蓄光物質）の上面に、発光色とは異なる色をドット印刷（格子状印刷）することにより例えば、発光色が緑色で、ドット印刷（格子状印刷）色が黄色の場合、人の目には黄緑色に見え、昼間は黄色の表示物として、発光時は黄緑色の表示物として使用できる。
２）、ドット印刷（格子状印刷）を等間隔にすることにより、全面が均一なコントラスト色になる。
３）、ドット印刷（格子状印刷）を非等間隔にすることにより、微妙なコントラスト色を得ることができる。
４）、文字や図柄等、色々な表示物に使用できるものである。
【考案の実施するための最良の形態】
【０００９】  発光板１は、反射作用のある上面を白色に施したアルミ箔等による基板２ａに蓄光物質２ｂ（特に材質を限定するものではなく、必要に応じて決めればよい）を塗布してなる蓄光板２の上面に、オフセット印刷あるいはシルク印刷等にて等間隔Ｐにてドット印刷Ｄしてなるものである。
【００１０】  例えば、蓄光物質２ｂの発光色とドット印刷の色とは異なるものとする。
発光板１の作用を下記に述べる。
まず、昼中光Ｈにて蓄光物質２ｂが蓄光し、夜間発光Ｈ１するが、その時反射作用のある基板２ａにて、より一層明るく見えるように構成してある。
夜間発光時において、発光色ＨＳは蓄光物質２ｂの色（例えば赤色）とドット印刷Ｄ（例えば白色）とのコントラストにより桃色に見えるものである。
【００１１】  つぎに、他の蓄光板について説明する。
発光板２１は、ドット印刷Ｄ１を非等間隔Ｐ１・Ｐ２にて設けてなり、発光色ＨＳ１とのコントラスト色が変化し、デザイン的に面白い表示物ができる。
【００１２】  発光板３１は、上記と同様な蓄光板３２の上面に、オフセット印刷あるいはシルク印刷等にて等間隔Ｐ３にて格子状印刷Ｋしてなるものであり、格子状印刷Ｋの色Ｉと格子間の蓄光物質の発光色ＨＳ２とのコントラストにより混合色に見えるものである。
【００１３】  上記各実施例において、蓄光物質の発光色とドット印刷（格子状印刷）の色は、特に限定するものではなく、所要の色に合わせて決めればよい。
また、ドット印刷（格子状印刷）のピッチは必要に応じて決めればよい。
【図面の簡単な説明】
【００１３】
【図１】  本考案の第一実施形態を示す発光板の正面図。
【図２】  本考案の第一実施形態を示す発光板の平面図。
【図３】  本考案の第一実施形態を示す発光板の使用状態図。
【図４】  本考案の第二実施形態を示す発光板の平面図。
【図５】  本考案の第三実施形態を示す発光板の平面図。
【図６】  本考案の第三実施形態を示す発光板の正面図。
【符号の説明】
【００１４】  １−−−発光板
２−−−蓄光板
２ａ−−基板
２ｂ−−蓄光物質
Ｐ−−−等間隔
Ｐ１−−非等間隔
Ｄ−−−ドット印刷
Ｈ−−−昼中光
Ｈ１−−夜間発光
ＨＳ−−発光色
【図１】
0003116806.tif 000003
【図２】
0003116806.tif 000004
【図３】
0003116806.tif 000005
【図４】
0003116806.tif 000006
【図５】
0003116806.tif 000007
【図６】
0003116806.tif 000008
(57)【要約】【課題】  家庭内の雪及び道路除雪による門前の雪処理については雪国の各家庭で悩まされている。これを簡単に安価に解消する処理装置を提供する。【解決手段】  風呂の残り湯を熱源とすることが第一点であり、庭内に融雪槽を埋設し、この中に除雪した雪を捨て、この槽には残り湯をポンプで導入し、雪の上から湯をシャワー状にかけて融雪を促し、場合によっては補助熱源として水中ヒーターを用いる。融雪水は隣接する沈澱桝に導入し、ここでゴミや泥を除去して水は側溝等へ流す。融雪槽及び沈澱桝はコンクリート製品を使用し、熱源は残り湯であるため安価であり、工事も比較的簡単で済むという利点がある。【選択図】    図１
0003116888.tif 000002
【実用新案登録請求の範囲】
【請求項１】
１．家内の浴槽（１）に排水ポンプ（２）を設け、家外に埋設した融雪槽（３）上方にシャワー式の散水栓（４）を設けて排水ポンプと連通させる、
２．融雪槽（３）にオーバーフロー排水口（７）を設けて沈澱桝（５）に導水すること、
３．沈澱桝（５）に排水口（６）を設けること、
以上を設けた浴槽の残り湯を利用した融雪装置。
【請求項２】
融雪槽（３）に水中ヒーター（８）を設けて補助熱源とすることを特徴とした請求項１に記載の浴槽（１）の残り湯を利用した融雪装置。
【請求項３】
沈澱槽（５）に金網（９）を設けたことを特徴とした請求項１および２に記載の浴槽（１）の残り湯を利用した融雪設置。
【考案の詳細な説明】
【技術分野】
【０００１】
本考案は、家庭の浴槽の残り湯を利用する融残装置に関する。
【背景技術】
【０００２】
家内の雪や、道路の除雪作業によって宅地前に積み置かれた雪の始末に困っているのが現況であり、このため放置することもできず、結局は家庭ごとに邪魔にならない家の隅の方に積み上げ、春の雪解けを待つことになる。
【考案の開示】
【考案が解決しようとする課題】
【０００３】
宅地内の除雪・消雪には種々の方法が考えられている。例えば、地下水を利用すること、又は小さな面積の場合は電熱を利用するなど考えられているが、地下水を利用する場合には井戸掘りという大掛りな作業があり、電熱を利用する場合は消費電力が大きいという欠点があった。
【課題を解決するための手段】
【０００４】
考案者は、この点に鑑み鋭意研究を続けた結果本考案に到達したものであって、本考案は家庭の風呂の残り湯を利用するもので、宅地内に融雪槽を設け、この中に雪を捨て、この融雪槽内に風呂の残り湯をポンプによって送入して雪を溶かすもので、この融雪槽内で溶かされた融雪水は沈澱槽に送り、泥やゴミ等を沈澱分離処理をして側溝や下水道に流し
て処理をする。
【考案の効果】
【０００５】
上述のように本考案の雪処理装置は、スノーダンプ等で雪を集め、家庭の風呂の残り湯を利用することで雪処理が行えるもので、簡単で安価な点、多雪地方の雪対策として利用価値は大きく顕著な作用効果を奏する。
【考案を実施するための最良の形態】
【０００６】
添付図面により本考案の実施するための最良の形態を説明すると、図１は装置全体を示す融雪系統図であって、屋内の浴槽（１）から残り湯をポンプを利用して融雪槽（３）に送り、この融雪水を沈澱槽（５）に送って、この沈澱槽で除雪の際に混入した泥やゴミを除いて融雪水のみを側溝や下水道に流し処理するものである。
【実施例】
【０００７】
融雪槽（３）は既製の側溝用のコンクリート管（ボックスカルバートのようなもの）を用い、少し改良を加えれば利用が可能で、また沈澱桝は、同様コンクリート製の桝体或は小型のマンホール構造でも利用できる。
【０００８】
さらに融雪槽（３）で残り湯の温度が低下した場合を考えて、別に水中ヒーター（８）を設けて必要に応じて、槽内の温度を上げるか又は浴槽の湯を沸かして使用することも可能である。
【０００９】
浴槽（１）から水中ポンプで残り湯を汲み上げ融雪槽（３）に圧送する。この圧送パイプ（１４）はパイプでもホースでもよく、取外し可能な構造とし、外側は凍結防止構造とする。
【００１０】
融雪槽（３）内に設けるシャワー式散水栓（４）によって槽内の雪を効率よく溶かす。散水した残り湯と融雪水はオーバーフロー排水口（７）より沈澱槽（５）へと排水される。
【００１１】
雪の投入により融雪槽（３）内の残り湯は急激に温度が低下するのでこのときは、水中ヒーター（８）を作動させて槽内の温度の上昇を図る。この融雪槽（３）は地中埋設式とし、投入蓋（１０）は軽量でしかも車が乗れる強度が必要である。
【００１２】
沈澱桝（５）は泥や砂、ゴミ等が最後に排出する側溝や下水に流れ込まないように金網（９）等を設けることが望ましい。また沈澱桝（５）には側溝から入る寒風を防ぐための構造が必要となるため栓などを設けることができる。
【００１３】
この融雪槽（３）は、降雪期以外は樋と接続させて雨水を集水して貯水槽として庭木などへの散水に利用するなど通年の利用が可能となる。
【産業上の利用可能性】
【００１４】
簡単で安価であることから雪国の家庭で困難な雪処理の問題解決に一役買う点大いに役立つことと確信し、その利用価値は多いと確認する。
【図面の簡単な説明】
【００１５】
【図１】本考案の融雪系統図
【図２】融雪槽の詳細図
【符号の説明】
【００１６】
１  浴槽
２  排水ポンプ
３  融雪槽
４  シャワー式散水栓
５  沈殿槽
６  排水口
７  オーバーフロー排水口
８水中ヒーター
９  金網
１０  投雪蓋
１４  圧送パイプ
【図１】
0003116888.tif 000003
【図２】
0003116888.tif 000004
(57)【要約】      （修正有）【課題】アルバム、メモ帳、書籍等の冊子を数ｃｍサイズに縮小したミニチュア冊子を作製し、該ミニチュア冊子の上部背側に紐やチェーン等の締結体から成るループ体を取付けることによって、ループ体を介して携帯電話機に小さな冊子類を取付け、見た目の装飾効果の他、実益をもたらす携帯電話機用のアクセサリー。【解決手段】アルバム、メモ帳、書籍等の冊子を数ｃｍサイズに縮小したミニチュア冊子１を作製し、該ミニチュア冊子１の上部背側に紐やチェーン等の締結体４から成るループ体２を取付けることによって、ループ体２を介して携帯電話機に小さな冊子類を取付け、見た目の装飾効果の他、実益をもたらす。【選択図】図１
0003116883.tif 000002
【実用新案登録請求の範囲】
【請求項１】
アルバム、メモ帳、書籍等の冊子を数ｃｍサイズに縮小したミニチュア冊子を作製し、
該ミニチュア冊子の上部背側に紐やチェーン等の締結体から成るループ体を取付けたこと
を特徴とする携帯電話機用のアクセサリー。
【請求項２】
ミニチュア冊子の上部背側寄りの位置において、ミニチュア冊子の厚み方向に透孔を貫
設し、該透孔に締結体を挿通し、該締結体の両端を連結してループ体と成したことを特徴
とする請求項１記載の携帯電話機用のアクセサリー。
【請求項３】
締結体の両端を着脱自在に連結したことを特徴とする請求項２記載の携帯電話機用のア
クセサリー。
【請求項４】
ミニチュア冊子の周囲に伸縮性素材から成る環状ベルトを巻着したことを特徴とする請
求項１、２又は３記載の携帯電話機用のアクセサリー。
【考案の詳細な説明】
【技術分野】
【０００１】
本考案は、携帯電話機用のアクセサリー（所謂、携帯電話ストラップ）に関する。
【背景技術】
【０００２】
従来より、携帯電話機用のアクセサリーとしては、各種マスコットや、メダル、ミニチ
ュアの乗り物など多種多様の飾りに紐やチェーン等を取付けたものが数多く提供されてい
る。
【考案の開示】
【考案が解決しようとする課題】
【０００３】
ところが、上記アクセサリーはいずれも装飾効果のみで、甚だ実用性には欠けるもので
あった。
【課題を解決するための手段】
【０００４】
本考案は、上記課題に鑑み、アルバム、メモ帳、書籍等の冊子を数ｃｍサイズに縮小し
たミニチュア冊子を作製し、該ミニチュア冊子の上部背側に紐やチェーン等の締結体から
成るループ体を取付けることによって、ループ体を介して携帯電話機に小さな冊子類を取
付け、見た目の装飾効果の他、実益をもたらす様にして、上記課題を解決する。
【考案の効果】
【０００５】
要するに本考案は、アルバム、メモ帳、書籍等の冊子を数ｃｍサイズに縮小したミニチ
ュア冊子を作製し、該ミニチュア冊子の上部背側に紐やチェーン等の締結体から成るルー
プ体を取付けたので、ループ体を介して、例えば、携帯電話機にアルバムのミニチュア冊
子を取付ければ、小さくプリントした家族等の写真を数多く持ち歩くことができ、またメ
モ帳では、通話をしながら必要事項を直ちに書き込みでき、また辞書などの書籍を取付け
れば、必要事項を直ちに確認でき、その他にも、日記帳などミニチュア冊子の種類を適宜
選べば様々な実用的効果を得ることが出来る。
【０００６】
ミニチュア冊子の上部背側寄りの位置において、ミニチュア冊子の厚み方向に透孔を貫
設し、該透孔に締結体を挿通し、該締結体の両端を連結してループ体と成したたので、加
工が容易で安価に製造でき、また構成がシンプルであることから、耐久性も高くすること
が出来て、実用性を更に高めることが出来る。
【０００７】
締結体の両端を着脱自在に連結したので、ループ体にリングや紐など他の締結用具を継
ぎ足し適宜長さに調整できたり、また例えばミニチュア冊子が大きく、ループ体に締結用
具を継ぎ足しても尚、携帯電話機にミニチュア冊子を取付けるのが困難である場合には、
締結用具の一端を携帯電話機に取付け、その後に締結用具の他端に締結体を介してミニチ
ュア冊子を取付ければ良く、ミニチュア冊子の取付け作業を容易にすることが出来る。
【０００８】
ミニチュア冊子の周囲に伸縮性素材から成る環状ベルトを巻着したので、持ち運びの際
、ミニチュア冊子が開いてしまわず、鞄やポケットの中に収まり良く収納して持ち運ぶこ
とが出来る等その実用的効果甚だ大である。
【考案を実施するための最良の形態】
【０００９】
以下本考案の一実施例について図面に基づき説明する。
図１〜２に示す様に、本考案の携帯電話機用のアクセサリーは、ミニチュア冊子１の上
部背側にループ体２を取付けたものである。
ミニチュア冊子１は、アルバム、メモ帳、書籍などの冊子の複製品であって、実際のサ
イズのものを数ｃｍサイズに縮小して作製したものであり、書籍としては、辞書や地図な
ど実用性の高いものが良い。
【００１０】
ループ体２の取付け方としては、例えば、本実施例のものの様に、ミニチュア冊子１の
上部背側寄りの位置において、ミニチュア冊子１の厚み方向に透孔３を貫設し、該透孔３
に紐やチェーン等の締結体４を挿通し、該締結体４の両端を適宜連結具５を介して着脱自
在に連結してループ体２とすれば良い。
【００１１】
更に、ループ体２にリングや紐など他の締結用具６を継ぎ足しても良く、またミニチュ
ア冊子１の周囲にゴム紐などの伸縮性素材により成る環状ベルト７を巻着して、不使用時
にミニチュア冊子１の各ページが開いてしまわない様にすれば更に良い。
【図面の簡単な説明】
【００１２】
【図１】本考案に係る携帯電話機用のアクセサリーの正面図である。
【図２】同上右側面である。
【符号の説明】
【００１３】
１  ミニチュア冊子
２  ループ体
３  透孔
４  締結体
７  環状ベルト
【図１】
0003116883.tif 000003
【図２】
0003116883.tif 000004
(57)【要約】      （修正有）【課題】足踏み操作により便座及び開閉蓋を開けることができる洋式便器便座開閉器の提供。【解決手段】便器本体に設けられた回動可能な便座と開閉蓋を便器右側面に設けたペダルを足で踏み込む事により便座及び開閉蓋を開ける事と、テコの原理を利用することで複雑な電気式構造をあえて取り入れず故障や停電時の対応と、適度な開口が得られないと男性が立って使用出来ず、効率の良い開口を得る為、便座に最終連結のＪ型アームを便器本体の便座開閉軸と同じ支点に合わせ、Sボックス後方からテコの力を加えることで、適度な開口が得られることを特徴とする洋式便器便座開閉器。【選択図】図５
0003116885.tif 000002
【実用新案登録請求の範囲】
【請求項１】
便器本体に設けられた回動可能な便座と開閉蓋を便器右側面に設けたペダルを足で踏み込む事により便座及び開閉蓋を開ける事と、テコの原理を利用することで複雑な電気式構造をあえて取り入れず故障や停電時の対応と、適度な開口が得られないと男性が立って使用出来ず、効率の良い開口を得る為、便座に最終連結のＪ型アームを便器本体の便座開閉軸と同じ支点に合わせ、Sボックス後方からテコの力を加えることで、適度な開口が得られることを特徴とする洋式便器便座開閉器。
【考案の詳細な説明】
【技術分野】
【０００１】
本考案は、洋式便器に設けた、便座及び便座開閉蓋を、手を使わず衛生的に、便座及び便座開閉蓋の開閉に関するものである。
【背景技術】
【０００２】
一般家庭、また小店舗などでは、男女共用使用のトイレが多く、男性が立って使用の場合、不特定多数使用のトイレ等では、衛生面を気にしながら利用していた。                            
【考案の開示】
【考案が解決しようとする課題】
【０００３】
便座に手をかけ持ち上げる行為は、不衛生極まりなく、避けたい行為である、従って
手による開け閉めが、単に足で踏み込むだけの操作により、便座に手を触れず、快適で、衛生的な本考案が、前述の欠点を解決しようとするものである。
【課題を解決するための手段】
【０００４】
本考案は、現在広く普及し、利用率の高い洋式便器に、機種を問わず簡単に取り付けが    
でき、お年寄りやかがむことができないような、身体の不自由な方にでも、快適、且つ衛生的に利用できる点がこれまでの問題点を解決している。
【考案の効果】
【０００５】
上述のように本発明は、どんな洋式便器にでも、誰でもが簡単に取り付けられ、場所を取らず、邪魔にもならない、洋式便器本体右側面にコンパクトに取り付けられるのが最大の利点である。
【考案を実施するための最良の形態】
【０００６】
本考案の洋式便器専用の便座開閉器は、洋式便器の右側面にピッタリと取り付ける事ができ、右側面のボックス手前から出ているペダルを、片足で下に軽く踏み込むことにより、                                                                  ボックス内の伝達ロッドを通じて、最終伝達のＪ型アームに伝わり、このＪ型アームの先端と、便座に施した専用フック金具とを係止することにより、便座及び蓋を速やかに開けることができる、ボックス内の調整によって、便座を垂直手前や後方にセットする事ができ、後方にセットした場合は開け放しの状態になる、垂直手前にセットした場合は、踏み込んだ足を離すことで、便座の自重により自動的に便座は閉じる、電気的な操作を全く使用しないので、停電時でも使用でき、故障も少なく経済的である。
【実施例】
【０００７】
上記目的を達成する為の対応を図１に基づいて説明する、便器本体上に設けられた回動可能な便座及び蓋を開ける為の洋式便器専用の便座開閉器である、図１のボックス本体Ｓは、ある程度の重量が無いと不安定になる為、金属パネルを使用する、図２に示すように便器本体の右側面床上に位置し、ペダルＡを足で踏むことにより、ペダルアーム上のＮを支点にして、ペダルアーム先端に連結の第一伝達ロッドＣが上昇、ボックスＳ中央の揺動部材Ｋの左端Ｇ連結部が、揺動部材Ｋの中央部Ｍを支点にして同じく上昇、揺動部Ｍを支点にして、揺動部材右端Ｈ連結部が下降、Ｈに連結の第二伝達ロッドＤが下降、第二伝達ロッド上端Ｉは、Ｊ型アーム上端に連結し、Ｅアングル上端のＯを支点にして、便座に最終連結のＪ型アーム先端Ｂが上昇することで、便座及び蓋も押し上げることができる。便座をスムースに押し上げる為には、J型アームのカーブとボックスＳと係止のJ型アーム取り付けアングルＥの位置が重要ポイントとなり、J型アーム支点Ｏを便器本体の便座回動軸Ｐ（図3参照）に合わせる為、前後、上下を調整できるように、ボックスＳに施されている。便座及び開閉蓋を垂直位置手前にセットすることで、男性が立って使用する場合は、足踏みペダルＡを踏み込んだ状態で使用する事になる、使用後、ペダルＡから足を離すと自重にて便座及び蓋は自動的に閉じる。
【図面の簡単な説明】
【０００８】
【図１】本洋式便器専用、便座開閉器の内部側面図である。
【図２】便座開閉器を洋式便器に取り付けたときの、正面図である。
【図３】便座開閉器を洋式便器に取り付け、上から見た図である。
【図４】便座開閉器を取り付け、便座及び蓋を閉じたときの右側面図である。
【図５】図４を足で踏み込んで、便座及び蓋を開けたときの右側面図である。
【符号の説明】
【０００９】
１    便器本体
２    便座
３    開閉蓋                                                              
Ａ    足踏みペダル
Ｂ    J型アーム便座連結部
Ｃ    第一伝達ロッド
Ｄ    第二伝達ロッド
Ｅ    便座開閉支点合わせアングル
Ｆ    足踏みペダルアーム先端連結部
Ｇ    揺動部材Ｋ左端、第一伝達ロッド連結部
Ｈ    揺動部材Ｋ右端、第二伝達ロッド連結部                                                                  
Ｉ    J型アーム右端、第二伝達ロッド連結部
Ｐ    便座回動軸
K    揺動部材
Ｎ    足踏みペダルアームの支点位置
Ｍ    揺動部材Ｋの支点位置
Ｓ    ボックス本体                                                                        
Ｏ    ＥアングルとＪ型アームとの支点  
【図１】
0003116885.tif 000003
【図２】
0003116885.tif 000004
【図３】
0003116885.tif 000005
【図４】
0003116885.tif 000006
【図５】
0003116885.tif 000007
(57)【要約】【課題】手提げや肩掛けバッグの紐をハンガーへ複数個掛けても紐が捩れたり、変形することの無いバックの紐掛け用ハンガーを提供する。【解決手段】両側壁２の間に円曲する幅広な溝３を設け、この溝３に肩掛けバック４の紐４ａを複数本掛けるようにした。また背面側の側壁２ａにふたつの穴５をあけ、この穴５に吊り下げ紐６等を通してバックハンガーをハンガー掛けまたは壁等に吊り下げるようにした。【選択図】図1
0003116890.tif 000002
【実用新案登録請求の範囲】
【請求項１】
両側壁（２）の間に円曲する幅広な溝（３）を設け、この溝（３）に肩掛けバック（４）の紐（４ａ）を複数本掛けるようにしたバックの紐掛けハンガー。
【請求項２】
背面側の側壁（２ａ）にふたつの穴（５）をあけ、この穴（５）に吊り下げ紐（６）等を通してバックハンガーをハンガー掛けまたは壁等に吊り下げるようにした請求項１記載のバックの紐掛けハンガー。
【考案の詳細な説明】
【技術分野】
【０００１】
手提げや肩掛けバッグが傷まないようにその紐を掛けて収納するハンガーに関する。
【背景技術】
【０００２】
従来、女性用肩掛けバッグの紐を掛ける適切なハンガーが無かった。そのためＳ字フックや幅のある棒状のハンガーに紐部分を掛けたりしていたが、紐が捩れたり変形したりして使い勝手が悪く、掛け方が悪いとバッグや紐に傷みが出ていた。またバッグの材質によってはハンガーに掛けずにそのまま収納するか、あるいはバッグを袋で覆ってハンガーに掛けていた。
【考案の開示】
【考案が解決しようとする課題】
【０００３】
手提げや肩掛けバッグの紐をハンガーへ複数個掛けても紐が捩れたり、変形することの無いバックの紐掛け用ハンガーを提供する。
【課題を解決するための手段】
【０００４】
本考案のバックの紐掛けハンガーは、請求項１記載のように、両側壁２の間に円曲する幅広な溝３を設け、この溝３に肩掛けバック４の紐４ａを複数本掛けるようにした。また請求項２記載のように、背面側の側壁２ａにふたつの穴５をあけ、この穴５に吊り下げ紐６等を通してバックハンガーをハンガー掛けまたは壁等に吊り下げるようにした。
【考案の効果】
【０００５】
上記の構成としたので、バッグの紐をこのハンガーの円曲する幅広な溝３に掛けたときにバッグ本来のデザインの形のままに吊り下げることが出来る。そして紐部分が捩れたり、変形することも無い。更に絡まることが無く、複数個のバッグを整然と掛けることが出来る。またバックの紐ハンガーの大きさ、デザインを変えればファッション性にも優れ、色々な形のバッグにも対応できる。
【考案を実施するための最良の形態】
【０００６】
本考案の最良の実施形態は、円曲する両側壁２の間に幅広な溝３を円曲させて設け、そしてこの溝３に肩掛けバック４の紐４ａを掛けるようにした。そして背面側の側壁２ａの頂部寄りにふたつの穴５をあけ、この穴５に吊り下げ紐６を通してバックハンガーをハンガー掛けまたは壁等に吊り下げるようにした。
【実施例】
【０００７】
以下、本考案の好適なひとつの実施例を図面に基づき説明する。図１は本考案のバックの紐掛けハンガー１であって、人の肩幅ほどの厚みと丸みを有する正面が扇型で断面が略Ｕ字型の形状をしており、円曲する両側壁２の間に幅広な溝３を円曲させて設けたものである。そしてこの溝３に肩掛けバック４の紐４ａを掛けるようにした。
【０００８】
また背面側の側壁２ａの頂部寄りにふたつの穴５をあけ、この穴５に吊り下げ紐６を通してバックハンガーをハンガー掛けまたは壁等に吊り下げるようにした。またこの穴５にＳ字フック７やＬ字フック８をそれぞれ差し込み直接壁などに止めるようにしても良い。
【０００９】
バックハンガーの材質は、木材、合成樹脂、陶磁製のいずれでも良いが、バックの紐４を掛ける溝３の表面は、滑り止めとして荒れた粗面にするか、または布地、ウレタンフォームなど柔軟な素材で形成した滑り止めの当て片を陶磁板に固着することにより紐のズレを安定させることが出来る。
【図面の簡単な説明】
【００１０】
【図１】本考案のハンガーにバックの紐を掛けた状態を示す斜視図である。
【図２】図１の側面図である。
【図３】Ｓ字フックを用いた状態図である。
【図４】Ｌ字フックを用いた状態図である。
【符号の説明】
【００１１】
１  バックの紐掛けハンガー
２  両側壁
３  円曲させた幅広な溝
４  肩掛けバック
４ａ  肩掛けバックの紐
５  ふたつの穴
６  吊り下げ紐
７  Ｓ字フック
８  Ｌ字フック
【図１】
0003116890.tif 000003
【図２】
0003116890.tif 000004
【図３】
0003116890.tif 000005
【図４】
0003116890.tif 000006
(57)【要約】      （修正有）【課題】廃棄の際の手間を省き、且つ確実な個人情報漏洩防止策としてのラベルを提供する。【解決手段】医療薬液袋に貼付ける本体ラベルの外枠に着色し、診療科の区分の明確を図り、且つラベル内側の個人情報記載部に剥離層を設け記載する個人情報が使用後の薬液袋から剥離し紙裁断機に掛けられる為、廃棄の際の個人情報漏洩防止となる。【選択図】図１
0003116618.tif 000002
【実用新案登録請求の範囲】
【請求項１】
個人情報を記載する部分のラベルが剥離層となっていることを特徴とするラベルシール。
【請求項２】
前記ラベルは外枠部を着色し診療科ごとに色分区別し使用出来ることを特徴とする請求項１記載のラベルシール。
【考案の詳細な説明】
【技術分野】
【０００１】  本考案は、個人情報を記載する必要のある薬液袋に使用するラベルに関するものである。
【背景技術】
【０００２】  従来の薬液袋は直に油性マジックで患者の氏名等個人情報を記載し、使用後マジックで記載部を塗潰し廃棄処分していた。
【考案の開示】
【考案が解決しようとする課題】
【０００３】  使用後の薬液袋は個人情報を油性マジックで塗潰す手間が掛かり、不十分な塗潰し方では廃棄の際に個人情報漏洩の危険性がある。従ってこの考案は個人情報を油性マジックで塗潰す手間を省き確実に個人情報漏洩防止となるラベルを提供することを課題とする。
【課題を解決するための手段】
【０００４】  第一の考案は以上の課題を解決するために医療用薬液袋に裏が粘着層のラベル本体を貼付け、個人情報を記載するラベル内側部分が剥離層となり従来の油性マジックで直に薬液袋に個人情報を記載し使用後記載部を塗潰す手間を省き個人情報漏洩防止となる事を特徴とするラベルである。また、第二の考案はラベル本体の外枠に着色し診療科の区分を明確にすることを特徴とするラベルである。
【考案の効果】
【０００５】  上述の様に第一の考案、第二の考案により医療用薬液袋に個人情報を記載するラベル本体を貼付け、外枠の色分で診療科の区分の明確さを図り、且つラベル内側が剥離層となっている為使用後の医療用薬液袋からラベル内側を剥離でき紙裁断機に掛けられる。したがって個人情報漏洩防止となる。
【考案を実施するための最良の形態】
【０００６】  本考案の一実施形態を、図１に示す。この本体１は裏面が台紙４の付着している粘着層５からなっている一枚のラベルである。表面は着色してある外枠３と剥離層６となっている内側２からなっている。
【実施例】
【０００７】  以下、添付書類に従って一実施例を説明する。医療用薬液袋に薬品名、日付、氏名等必要事項な個人情報を記載した診療科別に外枠３が色分してある本体ラベル１を貼付け、使用後は個人情報記載部のラベル内側２を剥離し、薬液袋を廃棄する。剥離したラベル内側２は紙裁断機に掛けることによって従来の油性マジックで個人情報を塗潰す手間を省き確実な個人情報漏洩防止となる。【０００８】「他の実施形態」
本考案の一実施例は上述の如き構成からなるものであるから本体ラベルを医療薬液袋以外の医療用備品、消耗品に使用することも勿論である。
【図面の簡単な説明】
【０００９】
【図１】本考案個人情報漏洩防止ラベルの形態を示す正面図である。
【図２】ラベル断面模式図である。
【符号の説明】
【００１０】      １  ラベル本体
２  剥離層ラベル内側
３  外枠
４  台紙
５  粘着層
６  剥離層
【図１】
0003116618.tif 000003
【図２】
0003116618.tif 000004